(57)【要約】      （修正有）【課題】反対に接続してしまうのを防ぐことができ、コネクタの抜け落ちを防ぐことができる電器コネクタの提供。【解決手段】オスコネクタＡ、メスコネクタＢ、ケーブルコネクタＣから構成され、該オスコネクタに突出部Ａ１、突起Ａ２、挿入孔Ａ３、接続ピン槽Ａ４、係合脚部Ａ５を設け、該メスコネクタに挿入槽、接続ピンＢ２、針ピン、嵌入孔Ｂ４、固定辺Ｂ５を設け、該ケーブルコネクタ上に掛止突起Ｃ１と挟持部Ｃ２を設け、該突出部が該メスコネクタ側辺部上面近くに設けた該挿入槽に対応しているため、反対に接続されるのを防止でき、該オスコネクタを該メスコネクタ内に挿入すると、該接続ピン槽上に設けた該突起が該メスコネクタの嵌入孔に嵌合され、該メスコネクタ内の針ピンが該挿入孔を介して該ケーブルコネクタの挟持部に挟み込まれ、該ケーブルコネクタをオスコネクタ内に穿入すると該掛止突起が該係合脚部と係合され、コネクタの抜け落ちを防ぐ。【選択図】図１
0003117047.tif 000002
【実用新案登録請求の範囲】
【請求項１】
オスコネクタ、メスコネクタとケーブルコネクタから構成され、該オスコネクタに突出部、突起、挿入孔、接続ピン槽、係合脚部を設け、該メスコネクタに挿入槽、接続ピン、針ピン、嵌入孔、固定辺を設け、該ケーブルコネクタ上に掛止突起と挟持部を設け、そのうち、該オスコネクタに設けた該突出部が該オスコネクタ側辺部の上面に近い部分に位置して、該メスコネクタ側辺部上面近くに設けた該挿入槽に対応して設け、該オスコネクタが該メスコネクタと反対に接続されるのを防止する構造を形成し、該オスコネクタが該メスコネクタが正確に接続される構造としたことを特徴とする電器コネクタ。
【請求項２】
前記該オスコネクタに配置した該接続ピン槽上に設けた該突起が該メスコネクタの嵌入孔に嵌合され、該オスコネクタの接続ピン槽は３組、４組またはそれ以上設けることができ、該メスコネクタの該嵌入孔は該オスコネクタの接続ピン槽の数量に対応して同じ幅とすることができ、該接続ピン槽上の挿入孔は該オスコネクタを該メスコネクタ内に挿入すると、該メスコネクタ内の針ピンが該挿入孔を介して該ケーブルコネクタの挟持部に挟み込まれ、該ケーブルコネクタ上の掛止突起は該ケーブルコネクタをオスコネクタ内に穿入すると該オスコネクタの係合脚部と掛合され、該メスコネクタの接続ピンは該メスコネクタに垂直に設けることができる構造としたことを特徴とする請求項１に記載した電器コネクタ。
【考案の詳細な説明】
【技術分野】
【０００１】
本考案は電器コネクタに関し、詳細には、オスコネクタをメスコネクタに挿入するとき、オスコネクタ側辺部の上面に近い部分に設けられた突出部の位置が、メスコネクタ側辺部上面近くに設けられた挿入槽に対応して設けられているため、反対に接続してしまうのを防ぐことができ、正確に接続されると、突出部が挿入槽内に穿入され、反対に接続しようとすると、突出部とメスコネクタの開口面が相互に阻み合い、オスコネクタをメスコネクタ内に挿入できず、使用者が誤って反対に接続してしまうのを防ぐ、電器コネクタに関する。
【０００２】
また、接続ピン槽上に突起を設けており、この突起がメスコネクタの嵌入孔に嵌合され、オスコネクタとメスコネクタの離脱を防ぐ。
【０００３】
さらに、接続ピン槽上の挿入孔が、オスコネクタをメスコネクタ内に挿入した後、メスコネクタ内の針ピンがこの挿入孔を介してケーブルコネクタの挟持部に挟まれ、信号の伝送に有利である。
【０００４】
ケーブルコネクタ上の掛止突起がケーブルコネクタをオスコネクタ内に穿入させるとオスコネクタの係合脚部に嵌合され、ケーブルコネクタの抜け落ちを防ぐ。
【背景技術】
【０００５】
従来の電器コネクタは、接続時に接続の方向性を示すはっきりとした表示や装置がないため、使用者がコネクタを反対に接続してしまい設備を破損してしまうことがあり、また、オスコネクタとメスコネクタを接続した後、外力により引っ張られて抜け落ちてしまうことがあり、電源や信号の入力または出力ができなくなり、設備が使用できなくなってしまうことがある。
【０００６】
このため、上述の欠点をいかに排除するかが、本考案が解決する技術的問題である。
【考案の開示】
【考案が解決しようとする課題】
【０００７】
本考案の目的は、オスコネクタをメスコネクタに挿入するとき、反対に接続してしまうのを防ぐことができると共に、コネクタの抜け落ちを防ぐことができる、電器コネクタを提供することにある。
【課題を解決するための手段】
【０００８】
オスコネクタ、メスコネクタとケーブルコネクタから構成され、該オスコネクタに突出部、突起、挿入孔、接続ピン槽、係合脚部を設け、該メスコネクタに挿入槽、接続ピン、針ピン、嵌入孔、固定辺を設け、該ケーブルコネクタ上に掛止突起と挟持部を設け、そのうち、該オスコネクタを該メスコネクタに挿入するとき、該突出部が該オスコネクタ側辺部の上面に近い部分に位置しており、メスコネクタ側辺部上面近くに設けた該挿入槽に対応しているため、反対に接続されるのを防止する構造を形成し、該接続ピン槽上に設けた該突起が該メスコネクタの嵌入孔に嵌合され、該接続ピン槽上の挿入孔は該オスコネクタを該メスコネクタ内に挿入すると、該メスコネクタ内の針ピンが該挿入孔を介して該ケーブルコネクタの挟持部に挟み込まれ、該ケーブルコネクタ上の掛止突起は該ケーブルコネクタをオスコネクタ内に穿入すると該オスコネクタの係合脚部と係合され、コネクタの抜け落ちを防ぐ。
【考案の効果】
【０００９】
本考案の進歩性と実用性をよりはっきりと示すため、以下、従来品と比較して分析する。
《従来品の欠点》
１、使用者が反対に接続してしまうのを防ぐためのはっきりとした表示や装置がない。
２、接続後抜け落ちやすく、設備を継続して使用することができなくなる。
【００１０】
《本考案の利点》
１、使用者が反対に接続するのを防ぐ装置を備え、使用者がコネクタを反対に接続してしまい、破損を招くのを防ぐことができる。
２、緊密に連結でき、コネクタが抜け落ちにくい。
３、進歩性と実用性を兼ね備えている。
４、産業的競争力を向上できる。
【考案を実施するための最良の形態】
【００１１】
本考案の電器コネクタは、図１、図２に示すように、オスコネクタＡ、メスコネクタＢ、ケーブルコネクタＣから構成される。そのうち、オスコネクタＡに突出部Ａ１、突起Ａ２、挿入孔Ａ３、接続ピン槽Ａ４、係合脚部Ａ５を設け、メスコネクタＢに挿入槽Ｂ１、接続ピンＢ２、針ピンＢ３、嵌入孔Ｂ４、固定辺Ｂ５を設け、ケーブルコネクタＣ上に掛止突起Ｃ１と挟持部Ｃ２を設ける。
【００１２】
その特徴は、オスコネクタＡをメスコネクタＢに挿入するとき、突出部Ａ１がオスコネクタＡ側辺部の上面に近い部分のメスコネクタ側辺部上面に近い部分に設けられた挿入槽Ｂ１に対応した位置に設けられているため、反対の接続を防ぐことができる構造であり、正確に接続されると突出部Ａ１が挿入槽Ｂ１内に穿入され、反対に接続しようとすると、突出部Ａ１とメスコネクタＢの開口面が相互に阻み合い、オスコネクタＡをメスコネクタＢ内に挿入できず、使用者が反対に接続してしまうのを防ぐことができる点にある。
【００１３】
また、接続ピン槽Ａ４上に突起Ａ２が設けられ、メスコネクタＢの嵌入孔Ｂ４に嵌入されるため、オスコネクタＡとメスコネクタＢの離脱を防ぐことができる。
【００１４】
さらに、接続ピン槽Ａ４に設けた挿入孔Ａ３により、オスコネクタＡをメスコネクタＢ内に挿入すると、メスコネクタＢ内の針ピンＢ３が挿入孔Ａ３を介してケーブルコネクタＣの挟持部Ｃ２に挟まれ、信号の伝送に有利である。
【００１５】
ケーブルコネクタＣ上の掛止突起Ｃ１により、ケーブルコネクタＣをオスコネクタＡ内に穿入させると、オスコネクタＡの係合脚部Ａ５とこの掛止突起Ｃ１が嵌合されるため、ケーブルコネクタＣの抜け落ちを防ぐことができる。
【００１６】
本考案の電器コネクタは、図３に示すように、オスコネクタＡをメスコネクタＢ内に挿入すると、接続ピン槽Ａ４上に設けた突起Ａ２がメスコネクタＢの嵌入孔Ｂ４に嵌入され、オスコネクタＡとメスコネクタＢの離脱を防ぐことができ、さらに、ケーブルコネクタＣ上の掛止突起Ｃ１がケーブルコネクタＣをオスコネクタＡ内に穿入させるとオスコネクタＡの係合脚部Ａ５と係合されるため、ケーブルコネクタＣの抜け落ちを防ぐことができる。
【００１７】
図４、図４−１に示すように、本考案のコネクタはコネクタＤとＥのように設けてもよく、オスコネクタＤ１とＥ１は製造者の必要に応じて３つや４つ、またはそれ以上の接続ピン槽を設けることができ、メスコネクタＤ２とＥ２は、オスコネクタD１とE１に合わせた幅とし、複数の接続ピン槽に合わせた設計とする。
【００１８】
図５に示すように、本考案のメスコネクタＦはさらに接続ピンＦ１をメスコネクタＦと固定辺Ｆ５に垂直に設け、接続ピンＦ２を延伸した設計としてもよく、メスコネクタＦを回路板等関連設備上に便利に固定することができる。
【００１９】
上述のように、本考案は従来技術を打破する構造により、確実にその増進を計る効果を得ることができ、且つ、当該技術を熟知した者でなくとも容易に理解することができる。また、本考案はその出願以前に公開されたことがなく、その進歩性、実用性は実用新案登録出願の要件を満たしているため、法に基づきここに実用新案登録を出願するものである。
【００２０】
以上で述べた説明は、本考案の最良の実施例に基づくものであり、本考案の実用新案登録請求の範囲を制限するものではなく、本考案の明細書及び図面の内容を運用した同等効果を得る構造を、直接または間接的にその他関連技術領域に応用したものはすべて、本考案の要旨の範囲内に含まれるものとみなす。
【図面の簡単な説明】
【００２１】
【図１】本考案の実施例１の立体斜視図である。
【図２】本考案のメスコネクタの立体斜視図である。
【図３】本考案の連結状態を示す立体斜視図である。
【図４】本考案の実施例２の立体斜視図である。
【図４−１】本考案の実施例３の立体斜視図である。
【図５】本考案の実施例４の立体斜視図である。
【符号の説明】
【００２２】
Ａ        オスコネクタ        
Ａ１      突出部        
Ａ２      突起        
Ａ３      挿入孔        
Ａ４      接続ピン槽
Ａ５      係合脚部
Ｂ        メスコネクタ        
Ｂ１      挿入槽
Ｂ２      接続ピン
Ｂ３      針ピン  
Ｂ４      嵌入孔
Ｂ５      固定辺
Ｃ        ケーブルコネクタ
Ｃ１      掛止突起        
Ｃ２      挟持部        
Ｄ        コネクタ
Ｄ１      オスコネクタ        
Ｄ２      メスコネクタ
Ｅ        コネクタ
Ｅ１      オスコネクタ
Ｅ２      メスコネクタ
Ｆ        メスコネクタ
Ｆ１      接続ピン
Ｆ２      固定ピン
Ｆ４      嵌入孔
Ｆ５      固定辺
【図１】
0003117047.tif 000003
【図２】
0003117047.tif 000004
【図３】
0003117047.tif 000005
【図４】
0003117047.tif 000006
【図４−１】
0003117047.tif 000007
【図５】
0003117047.tif 000008